(57)【要約】【課題】電線の取り外し作業が容易に行える速結端子装置を提供する。【解決手段】操作部６１を指で押し上げるように操作すれば、軸部６２ａを支点にして解除釦６０が回動する。解除釦６０が回動すると押動部６３，６３でそれぞれ対向する端子板４１の受け部４４ｃを押圧し、電線に食い込んでいる鎖錠部４４ａを電線から離すように鎖錠片４４を撓ませて電線の引き抜きが可能となる。故に、器体１を持った手の指（親指）で器体１の側面に露出する操作部６１を押操作して電線１０１に食い込んでいる鎖錠部４４を電線１０１から離すことができ、一方の手で器体１の保持と解除釦６０の操作を同時に行い、他方の手で電線を引き抜くことができるため、従来の速結端子装置に比較して電線１０１の取り外し作業が容易に行える。【選択図】        図１
2004319394.tif 000002
【特許請求の範囲】
【請求項１】
配線器具の器体に貫設した電線挿入孔を通して器体に導入される電線に接触する端子板と、ばね力を利用して該端子板との間で前記電線を狭持するとともに鎖錠部が該電線に食い込んで抜け止めする接続手段と、該接続手段による抜け止め状態を解除する解除手段とを備え、該解除手段は、前記器体の表面に露出して手動操作される操作部と、器体内に枢支されて該操作部を回動自在とする軸部と、該軸部を支点に前記操作部が手動操作によって回動したときにばね力に抗して前記接続手段の電線に食い込んだ前記鎖錠部を該電線から引き離す向きに押し動かす押動部とを具備することを特徴とする速結端子装置。
【請求項２】
前記解除手段は、前記軸部に対して該軸部の軸方向にずらした位置に前記押動部が配置されたことを特徴とする請求項１記載の速結端子装置。
【請求項３】
前記解除手段は、前記操作部が回動する際に前記軸部を支持する支持部を具備し、該支持部と前記軸部が前記操作部の回動方向と平行な同一平面上に配置されたことを特徴とする請求項１記載の速結端子装置。
【請求項４】
前記支持部と前記軸部とが同心円上に配置されたことを特徴とする請求項３記載の速結端子装置。
【請求項５】
前記器体に複数の接続手段並びに複数の解除手段が設けられ、これら複数の解除手段が合成樹脂成型品により一体に形成されたことを特徴とする請求項１記載の速結端子装置。
【請求項６】
前記解除手段は、前記鎖錠部が押し動かされる方向に沿った同一平面上において前記押動部と前記操作部を連結する連結部を具備することを特徴とする請求項１記載の速結端子装置。
【請求項７】
前記軸部が摺動自在に載置される軸受け台が前記器体に設けられ、該軸受け台を逃がす逃がし部が前記解除手段の軸部近傍に設けられたことを特徴とする請求項１記載の速結端子装置。
【請求項８】
前記解除手段は、前記操作部が回動する際に前記軸部を支持する支持部を具備し、前記軸部が摺動自在に載置される軸受け台と、先端に前記支持部が摺接する曲面を有した固定リブとが前記器体に設けられたことを特徴とする請求項１記載の速結端子装置。
【請求項９】
前記鎖錠部が電線に食い込まない位置で前記解除手段を保持する保持手段を備えたことを特徴とする請求項１記載の速結端子装置。
【請求項１０】
前記保持手段は、前記解除手段若しくは前記器体に設けられる突起と、前記解除手段若しくは前記器体に設けられて該突起に係合する係合部とからなることを特徴とする請求項９記載の速結端子装置。
【発明の詳細な説明】
【０００１】
【発明の属する技術分野】
本発明は、スイッチやコンセントのような配線器具の器体に収納されて電線を接続する速結端子装置に関するものである。
【０００２】
【従来の技術】
従来から、スイッチやコンセントのような配線器具において、器体に設けた電線挿入孔を通して器体に導入された電線を接続するために速結端子が広く用いられている。この種の速結端子としては、図２３に示すように、器体２００に収納され電線挿入孔２０１を通して器体２００に導入された電線１０１に接触する端子板２０２と、端子板２０２との間で電線を挟持する鎖錠ばね２０３とを備えるものが知られている（例えば、特許文献１参照）。鎖錠ばね２０３は板ばねであって、鎖錠ばね２０３に設けた接触片２０３ａおよび鎖錠片２０３ｂと端子板２０２との間に電線１０１を挟持することによって電線１０１を保持するように形成されている。つまり、器体２００に設けた電線挿入孔２０１を通して電線１０１を器体２００に導入すると、電線１０１が接触片２０３ａおよび鎖錠片２０３ｂを端子板２０２から引き離す向きに撓ませ、接触片２０３ａおよび鎖錠片２０３ｂに生じるばね力によって電線１０１が端子板２０２と鎖錠片２０３ｂとの間に挟持されるように構成されている。ここに、電線１０１が端子板２０２と接触片２０３ａおよび鎖錠片２０３ｂとの間に挟持された状態では、接触片２０３ａおよび鎖錠片２０３ｂの端縁が電線１０１に弾接し、電線１０１の一部に鎖錠片２０３ｂが食い込むことによって電線１０１の抜け止めがなされる。このように、電線１０１を電線挿入孔２０１に挿入するだけで端子板２０２に電線１０１が接触した状態で保持されるから、端子ねじを用いて電線１０１を接続する構造に比較すると電線１０１の結線作業が容易になる。
【０００３】
ところで、図２４に示すように器体２００の後壁には操作孔２０４が貫設され、この操作孔２０４の奥側における器体２００の内部に解除釦２０５が収納配置される。図２３に示すように、解除釦２０５は鎖錠ばね２０３の横に配置され、鎖錠ばね２０３の鎖錠片２０３ｂの後面側に当接する押し片（図示せず）が側面から突出する形状を有する。操作孔２０４はマイナスドライバの先端部のような工具２１０が挿入可能となる形状を有し、工具２１０を操作孔２０４に挿入して解除釦２０５を前方に押圧すると、鎖錠片２０３ｂが押し片から押圧力を受けることにより電線１０１から離れる向きに撓むようにしてある。したがって、電線１０１を接続した状態で操作孔２０４に工具を挿入して解除釦２０５を押圧すれば、鎖錠片２０３ｂが電線１０１から離れるように撓んで電線１０１の機械的保持が解除され、電線１０１を器体２００から引き抜くことが可能になる。
【０００４】
【特許文献１】
特開平１１−１８５９０５号公報（段落００１４、図１）
【０００５】
【発明が解決しようとする課題】
しかしながら、上記従来例において速結端子に接続された電線１０１を外す場合、図２４に示すように一方の手で配線器具の器体２００を持ち、他方の手に持った工具２１０を操作孔２０４に挿入して解除釦２０５を操作した状態では両手が塞がれてしまうために電線１０１を電線挿入孔２０１から引き抜くことが困難であった。
【０００６】
本発明は上記事情に鑑みて為されたものであり、その目的は、電線の取り外し作業が容易に行える速結端子装置を提供することにある。
【０００７】
【課題を解決するための手段】
請求項１の発明は、上記目的を達成するために、配線器具の器体に貫設した電線挿入孔を通して器体に導入される電線に接触する端子板と、ばね力を利用して該端子板との間で前記電線を狭持するとともに鎖錠部が該電線に食い込んで抜け止めする接続手段と、該接続手段による抜け止め状態を解除する解除手段とを備え、該解除手段は、前記器体の表面に露出して手動操作される操作部と、器体内に枢支されて該操作部を回動自在とする軸部と、該軸部を支点に前記操作部が手動操作によって回動したときにばね力に抗して前記接続手段の電線に食い込んだ前記鎖錠部を該電線から引き離す向きに押し動かす押動部とを具備することを特徴とする。
【０００８】
請求項２の発明は、請求項１の発明において、前記解除手段は、前記軸部に対して該軸部の軸方向にずらした位置に前記押動部が配置されたことを特徴とする。
【０００９】
請求項３の発明は、請求項１の発明において、前記解除手段は、前記操作部が回動する際に前記軸部を支持する支持部を具備し、該支持部と前記軸部が前記操作部の回動方向と平行な同一平面上に配置されたことを特徴とする。
【００１０】
請求項４の発明は、請求項３の発明において、前記支持部と前記軸部とが同心円上に配置されたことを特徴とする。
【００１１】
請求項５の発明は、請求項１の発明において、前記器体に複数の接続手段並びに複数の解除手段が設けられ、これら複数の解除手段が合成樹脂成型品により一体に形成されたことを特徴とする。
【００１２】
請求項６の発明は、請求項１の発明において、前記解除手段は、前記鎖錠部が押し動かされる方向に沿った同一平面上において前記押動部と前記操作部を連結する連結部を具備することを特徴とする。
【００１３】
請求項７の発明は、請求項１の発明において、前記軸部が摺動自在に載置される軸受け台が前記器体に設けられ、該軸受け台を逃がす逃がし部が前記解除手段の軸部近傍に設けられたことを特徴とする。
【００１４】
請求項８の発明は、請求項１の発明において、前記解除手段は、前記操作部が回動する際に前記軸部を支持する支持部を具備し、前記軸部が摺動自在に載置される軸受け台と、先端に前記支持部が摺接する曲面を有した固定リブとが前記器体に設けられたことを特徴とする。
【００１５】
請求項９の発明は、請求項１の発明において、前記鎖錠部が電線に食い込まない位置で前記解除手段を保持する保持手段を備えたことを特徴とする。
【００１６】
請求項１０の発明は、請求項９の発明において、前記保持手段は、前記解除手段若しくは前記器体に設けられる突起と、前記解除手段若しくは前記器体に設けられて該突起に係合する係合部とからなることを特徴とする。
【００１７】
【発明の実施の形態】
以下、本発明に係る速結端子装置をコンセントの端子部に適用した実施形態について図面を参照して詳細に説明する。但し、配線器具はコンセントに限定されるものではなく、例えばスイッチなどのコンセント以外の配線器具にも本発明の技術思想が適用可能であることは言うまでもない。
【００１８】
（実施形態１）
図１〜図３に示すように、器体１は耐トラッキング性に優れた熱硬化性合成樹脂を用いて前面が開放された直方体状に形成されたボディ１０と、同じく耐トラッキング性に優れた熱硬化性合成樹脂を用いて後面が開放された直方体状に形成されたカバー２０とを結合することにより形成される。
【００１９】
ボディ１０は長手方向の中間部に設けた一対の仕切壁１２により内部空間が２分されている。また、図５に示すようにカバー２０内にも仕切壁２０ａが形成され、ボディ１０とカバー２０とを結合するとボディ１０の一対の仕切壁１２の間にカバー２０の仕切壁２０ａが嵌合されることによって器体１の内部空間が独立した２室に分割される。
【００２０】
ボディ１０内において仕切壁１２を介して形成された各収納室１３には、プラグの栓刃を受ける刃受３１がそれぞれ収納される。各刃受３１は、図７に示すように互いに対向する先端部にて栓刃を挟持する一対の刃受ばね３２と、両刃受ばね３２の一方の側面同士を連続一体に結合するコ字状の連結片３４と、連結片３４より突出し両刃受ばね３２の前記側面に対向する刃受ばね３３とを備える。また、連結片３４には円筒形の４つの突起３４ａが列設されており、各一対の突起３４ａにそれぞれ後述する端子板４１がかしめ固定される。
【００２１】
端子部４０は、端子板４１並びに解除釦６０で構成される。端子板４１は、図８（ａ）に示すように略Ｌ字形の主片４２と、主片４２の幅細の一端側から後方（図８（ｂ）における下方、以下同じ）へ垂下された接触片４３と、主片４２の幅太の他端側から後方へ垂下された略Ｊ字形の鎖錠片４４と、鎖錠片４４の側端縁から側方へ突出する固定片４５とを有し、弾性を有する帯状の金属板を加工して接触片４３の先端部と鎖錠片４４の先端部が交差するように折り曲げて一体に形成される。接触片４３にはほぼ平坦な面を有して電線に弾接する接触部４３ａと、電線の挿入方向に沿った接触部４３ａの両側において電線を押圧する一対の押圧部４３ｂ，４３ｃが設けられている。また、接触片４３に対して内側に位置する鎖錠片４４には、電線を接触部４３ａの方へ押圧するとともに電線の一部に食い込んで抜け止めする鎖錠部４４ａと、鎖錠部４４ａよりも接触片４３に近づく向きに突出する受け部４４ｃとが先端に並設され、鎖錠部４４ａよりも後方の部位に電線（接触片４３）から離れる向きに凸となる曲げ部４４ｂが設けられている。なお、図８（ｃ）に示すように鎖錠部４４ａが接触片４３に対向するとともに受け部４４ｃが接触片４３と対向しないように接触片４３の幅寸法が鎖錠片４４の幅寸法のおよそ半分に設定されている。さらに、固定片４５には刃受３１の連結片３４に列設されている一対の突起３４ａが挿通される挿通孔４５ａが貫設されており、これら一対の挿通孔４５ａに挿通した突起３４ａをかしめることで刃受３１の連結片３４に固定片４５が固定される。そして、一対の刃受ばね３２とそれぞれ隣り合うように連結片３４に固定された一対の端子板４１と刃受３１からなる刃受ブロック３０がボディ１０の各収納室１３に収納される。
【００２２】
ボディ１０の各収納室１３の底壁には接触片４３と鎖錠片４４の間に電線を導入することができるように一対の電線挿入孔１１が貫設されている。図１０に示すように、この電線挿入孔１１を通して接触片４３と鎖錠片４４の間に電線１０１を挿入すると、鎖錠片４４の鎖錠部４４ａが電線１０１に食い込むことによって電線１０１が抜け止めされるとともに鎖錠片４４のばね力によって電線１０１が接触片４３の接触部４３ａに弾接し、さらに電線１０１は一対の押圧部４３ｂ，４３ｃによって鎖錠片４４の方へ押圧され、鎖錠部４４ａと一対の押圧部４３ｂ，４３ｃの押圧力が均衡して電線１０１が狭持される。但し、主片４２に近い方の押圧部４３ｃは電線１０１と当接する面を面取りして接触面積を増やしている。
【００２３】
ところで、端子板４１とともに端子部４０を構成する解除釦６０が各収納室１３に配設される。この解除釦６０は合成樹脂成型品からなり、図１及び図９に示すように棒状の操作部６１の両端部からそれぞれ同一の方向に一対の連結部６４，６４が突出し、各連結部６４，６４の先端部分が架橋部６６により連結されて全体が略ロ字型に形成されている。また、架橋部６６の両端部からは連結部６４，６４と反対方向に一対の押動部６３，６３が突設され、架橋部６６の中央部からは押動部６３と略平行に腕部６２が突設されるとともに腕部６２の突出方向に略直交し且つ連結部６４と反対の方向へ支持部６５が突設されている。さらに腕部６２の先端には、後述するようにボディ１０に設けられた軸受け台１４に摺動自在に載置される円柱状の軸部６２ａが、その軸方向が架橋部６６の長手方向と平行となるように設けられている。そして、後述するようにカバー２０に設けられた固定リブ２８に支持部６５が当接することで軸受け台１４に載置された状態で回動自在に軸部６２ａが支持される。ここで、支持部６５における軸部６２ａと反対側の側面６５ａは円柱面に形成されており、固定リブ２８の先端には支持部６５の側面６５ａに摺接する曲面（円柱面）２８ａが形成されている。
【００２４】
一方、ボディ１０の長手方向の両側面には各収納室１３と通じる縦溝１５が各一対ずつ並設されており、解除釦６０は縦溝１５を通して連結部６４並びに操作部６１がボディ１０の外に露出され、一対の押動部６３，６３が端子板４１の鎖錠片４４における受け部４４ｃと対向し（図１１参照）、収納室１３内に設けられた軸受け台１４に軸部６２ａを載置するとともに支持部６５をカバー２０の固定リブ２８の先端に当接することにより、軸部６２ａを支点に器体１の前後方向（図１における上下方向）に沿って回動自在に各収納室１３，１３に配設される（図３参照）。ここで本実施形態においては、図１３に示すように腕部６２の後面側に軸受け台１４を逃がすための逃がし部６２ｂが凹設されており、図１５（ｂ）に示すように逃がし部６２ｂを設けない場合に比較して、図１５（ａ）に示すように逃がし部６２ｂを設けることで軸部６２ａと軸受け台１４とが摺接する範囲（軸部６２ａ及び軸受け台１４の周方向の長さ寸法）を拡げることができて軸部６２ａの回動を安定させることができる。
【００２５】
而して、端子部４０に接続された電線を引き抜くには、縦溝１５，１５を通して器体１の側面に露出している操作部６１を指で押し上げるように操作すればよい。すなわち、図１４（ｂ）に示すように操作部６１を前方（図１４における上方）へ押し上げるように操作すれば、軸部６２ａを支点にして解除釦６０が回動し、押動部６３，６３でそれぞれ対向する端子板４１の受け部４４ｃを押圧することにより、電線に食い込んでいる鎖錠部４４ａを電線から離すように鎖錠片４４を撓ませて電線の引き抜きが可能となる。
【００２６】
従来の速結端子装置では工具を使って解除釦を操作しながら電線を引き抜かなければならないため、一方の手で配線器具の器体を持ち、他方の手に持った工具を操作孔に挿入して解除釦を操作した状態では両手が塞がれてしまうために電線を電線挿入孔から引き抜くことが困難であった。これに対して本実施形態では、器体１を持った手の指（例えば、親指）で器体１の側面に露出する解除釦６０の操作部６１を操作して解除釦６０を回動させると電線に食い込んでいる鎖錠部４４ａを電線から離すことができ、一方の手で器体１の保持と解除釦６０の操作を同時に行い、他方の手で電線を引き抜くことができるため、従来の速結端子装置に比較して電線の取り外し作業が容易に行える。しかも、解除釦６０はてこの原理を使って押動部６３により鎖錠部４４ａを押し動かしているため、例えば、器体１に対して解除釦を平行移動させることで鎖錠部４４ａを押し動かす構造に比べて操作部６１にかかる荷重が低減できるという利点がある。なお、本実施形態では、解除釦６０を、鎖錠部４４ａが押し動かされる方向（器体１の長手方向）に沿った同一平面上において押動部６３と操作部６１を連結部６４で連結する構造としているから、操作部６１を操作して鎖錠部４４ａを押し動かすときに押動部６３にかかる荷重を連結部６４で受けることができて解除釦６０の強度が向上できるという利点もある。そして、電線を引き抜いた後に操作部６１の操作を止めれば、撓められていた鎖錠片４４の復元力が押動部６３にはたらいて解除釦６０が反操作方向に回動して元の位置に自動的に復帰するため、操作部６１を元の位置に復帰させる手間が要らず何度でも電線を抜き差しすることができる。
【００２７】
ここで本実施形態の解除釦６０は、軸部６２ａに対して軸部６２ａの軸方向（図９（ａ）における上下方向）にずらした位置に押動部６３，６３が配置されているため、軸部６２ａと押動部６３との距離を大きく取ることができ、解除釦６０の回動に伴ってボディ１０の軸受け台１４や軸部６２ａに削れかすが生じてもそのような削れかすが端子板４１に付着しにくくなり、端子板４１に上記削れかすが付着して接触不良を起こすといった不具合が防止できる。
【００２８】
また本実施形態では、解除釦６０の支持部６５と軸部６２ａとが操作部６１の回動方向と平行な同一平面上に配置されているため、軸部６２ａを支点とする操作部の６１の回動方向を安定させることができる。さらに、図１４（ａ）に示すように軸部６２ａの外周面（円柱面）と支持部６５の側面６５ａとが軸部６２ａの軸を中心とする同心円上に配置されるようにしているため、軸部６２ａを安定して支持することができ、しかも、カバー２０に設けた固定リブ２８の曲面２８ａに支持部６５の側面６５ａを摺接させることで軸部６２ａを軸受け台１４に確実に枢支させることができるものである。
【００２９】
ところで、カバー２０の前壁には一つのプラグに設けた一対の栓刃を挿入することができる差込部２４が１口分形成されている。差込部２４は各刃受３１の刃受ばね３２，３３に対応する部位にそれぞれ開口する挿入口２５よりなり、各挿入口２５は平板状の平型栓刃が差し込まれる平型栓刃挿入口２５ａと、丸ピン状のピン型栓刃が差し込まれるピン型栓刃挿入口２５ｂとを連通させた形状に形成されている。つまり、平型栓刃挿入口２５ａは矩形状であって、長手方向の中間部の一側縁に円状のピン型栓刃挿入口２５ｂが連通した形状になっている。また、平型栓刃挿入口２５ａの中心間の距離よりも、ピン型栓刃挿入口２５ｂの中心間の距離の方が広くなっている。平型栓刃挿入口２５ａに挿入される平型栓刃は刃受ばね３２の側面と刃受ばね３３との間で挟持され、ピン型栓刃挿入口２５ｂに挿入されるピン型栓刃は一対の刃受ばね３２の間で挟持される。
【００３０】
次に、ボディ１０とカバー２０を結合して器体１を組み立てる構造について説明する。本実施形態においては、ボディ１０とカバー２０との双方に設けた嵌合部６，７に組立部材５０を凹凸嵌合することでボディ１０とカバー２０とを結合して器体１を組み立てるようになっている。
【００３１】
ボディ１０の長手方向に対向する両側面には、図４に示すように一対の縦溝１５に挟まれた中央部に角柱状の嵌合部６が突設されている。一方、カバー２０の長手方向の両側面には、図５に示すように一対の嵌合部７がそれぞれ突設されている。ここで、カバー２０に突設されている嵌合部７は、図５（ｄ）に示すように四隅のうちの一つに切り欠き７ａが形成されている。
【００３２】
組立部材５０は弾性を有する合成樹脂成型品からなり、図６に示すようにカバー２０の嵌合部７，７と各々嵌合する一対の嵌合孔５１，５１が長手方向に並設された短冊状の主片５２と、ボディ１０の嵌合部６と嵌合する嵌合孔５３ａが設けられて主片５２の後端縁中央より後方へ突設された逆凸字状の凸片５３とを有し、器体１と対向する主片５２の背面側において嵌合孔５１，５１の隅と重なる両角部からは先端に係止爪５４ａを有する係止突片５４が背方へ突設されている。また、主片５２の表面における前方両端部には、埋込型の配線器具を造営面に埋込配設するための取付枠、又は配線器具の取付構造を有したフラッシプレート（以下、単に「プレート」という）が具備する係合孔と係合して器体１を取付枠又はプレート枠に取り付けるための一対の取付部（取付爪）５５が突設されている。
【００３３】
一方、カバー２０の長手方向の両側面には、嵌合部７の切り欠き７ａに連通する凹溝２７と、凹溝２７の奥側に設けられて組立部材５０の係止突片５４に設けた係止爪５４ａが係止する被係止部２６とが長手方向両端部近傍の背面側に形成されている（図５（ｃ）参照）。
【００３４】
而して、ボディ１０とカバー２０とを結合して器体１を組み立てるには、ボディ１０とカバー２０を開口面側で突き合わせた状態で係止突片５４を凹溝２７に挿入するように組立部材５０を器体１の長手方向に対向する両側面の方へ押しつければ、組立部材５０の嵌合孔５３ａ，５１にボディ１０及びカバー２０の各嵌合部６，７がそれぞれ嵌合してボディ１０とカバー２０とが結合されると同時に、係止突片５４の先端に設けた係止爪５４ａがカバー２０の被係止部２６に係止することによって、組立部材５０の嵌合部６，７からの脱落が防止できる。
【００３５】
なお本実施形態では、ボディ１０の収納室１３に送り配線用を含めて２つの端子部４０を並設し、ボディ１０の両側面でそれぞれ隣り合う２つの端子部４０について一つの解除釦６０を共通に用いているが、図１７に示すように、個々の端子部４０で独立して操作される解除釦６０，６０を設けても構わない。この場合の解除釦６０，６０は、図１６に示すように本実施形態における解除釦６０を軸部６２ａの軸方向に直交する面で２つに分割して互いに鏡像の関係となるような形状に形成すればよい。但し、このように各端子部４０毎に解除釦６０を設けるよりも、隣り合う２つの端子部４０を構成する２つの解除釦６０，６０を本実施形態のように合成樹脂成型品で一体に形成する方が部品点数の削減によるコストダウンが図れるという利点がある。
【００３６】
（実施形態２）
実施形態１における速結端子装置（端子部４０）では、電線挿入孔１１から挿入された電線の先端部で端子板４１の鎖錠片４４を撓ませる必要があるが、電線が径の細い単線やより線の場合では電線の強度が鎖錠片４４のばね力に負けて座屈してしまい接続できないことがある。
【００３７】
そこで本実施形態は、鎖錠部４４ａが電線に食い込まない位置で解除釦６０を保持する保持手段を備えることにより、接触片４３と鎖錠片４４との隙間を予め拡げておいて径の細い単線やより線などの強度が比較的弱い電線が座屈せずに挿入できるようにしている。なお、これ以外の構成は実施形態１と共通であるから、実施形態１と共通の構成要素には同一の符号を付して図示並びに説明は省略する。
【００３８】
本実施形態における保持手段は、図１８に示すように支持部６５の側面６５ａに突設された突起６７と、固定リブ２８の先端縁からなる係合部２８ｂとで構成されている。この突起６７は、図１９に示すように支持部６５の先端に近い方の斜面の傾斜角度（側面６５ａに対する傾斜角度）が相対的に小さくしてあるのに対し、支持部６５の基端に近い方の斜面の傾斜角度（側面６５ａに対する傾斜角度）が相対的に大きくしてある。
【００３９】
すなわち、電線を接続していない状態で操作部６１を操作すると固定リブ２８の係合部２８ｂと支持部６５の側面６５ａが摺接しながら解除釦６０が回動し、傾斜角度の小さい先端側の斜面をスムーズに通過した後に傾斜角度の大きい基端側の斜面を過ぎて突起６７を乗り越えると、突起６７の基端側に係合部２８ｂが係合して解除釦６０が保持されることになる。この保持状態では解除釦６０の押動部６３が鎖錠部４４ａを押し動かして鎖錠片４４を撓ませているため、鎖錠部４４ａと接触片４３との間の隙間が広くなっている。
【００４０】
そして、この保持状態においては鎖錠部４４ａと接触片４３との間の隙間が広くなっているから径の細い単線やより線からなる電線であっても、鎖錠片４４と接触片４３との間に座屈することなく簡単に挿入することができ、電線を挿入した後に操作部６１を反対向きに操作して係合部２８ｂに再び突起６７を乗り越えさせることにより、鎖錠部４４ａが電線に食い込んで抜け止めされることになる。なお、端子部４０から電線を外す場合も解除釦６０を保持状態とすることで電線を容易に引き抜くことができる。
【００４１】
このように本実施形態では、電線を端子板４１に接続した後に鎖錠部４４ａを食い込ませて抜け止めすることができるから、電線を電線挿入孔１１に挿入する際の挿入力を弱くして電線の接続作業が容易に行えるものである。
【００４２】
（実施形態３）
本実施形態は、端子部４０を構成する解除釦６０の構造に特徴があり、他の構造については基本的に実施形態１又は２と共通である。よって、実施形態１又は２と共通の構成要素には同一の符号を付して図示並びに説明は省略する。また、本実施形態における解除釦６０も基本的な機能は実施形態１又は２と共通であるから、形状が異なっても同一の機能を有する部位については同一の符号を付すこととする。
【００４３】
本実施形態における解除釦６０は合成樹脂成型品からなり、図２０に示すように棒状の操作部６１と、半円板状の軸部６２ａを有する本体部６２と、操作部６１の中央から突出して本体部６２と連結する連結部６４と、本体部６２より軸部６２ａと反対側に突出する略扇形の支持部６５と、本体部６２の両側面より突出する略三角柱状の押動部６３，６３とが一体に形成されている。そして、図２１に示すようにボディ１０に設けられた軸受け台１４に軸部６２ａが載置され、収納室１３に収納される端子板４１の主片４２に支持部６５が当接することで軸部６２ａが回動自在に支持される。
【００４４】
而して、縦溝１５，１５を通して器体１の側面に露出している操作部６１を指で押し上げるように操作すれば、軸部６２ａを支点にして解除釦６０が回動し、押動部６３，６３でそれぞれ対向する端子板４１の受け部４４ｃを押圧することにより、電線に食い込んでいる鎖錠部４４ａを電線から離すように鎖錠片４４を撓ませて電線の引き抜きが可能となる。
【００４５】
ここで、本実施形態も実施形態２と同様に、鎖錠部４４ａが電線に食い込まない位置で解除釦６０を保持する保持手段を備えている。保持手段は、軸部６２ａの周面に突設された突起６７と、軸受け台１４の端部から前方へ突設された突壁１４ａとで構成されている。この突起６７は、図２０に示すように支持部６５から遠い方の斜面の傾斜角度が相対的に小さくしてあるのに対し、支持部６５に近い方の斜面の傾斜角度が相対的に大きくしてある。
【００４６】
すなわち、図２１（ａ）及び図２２（ａ）に示すように電線を接続していない状態で操作部６１を操作すると軸部６２ａが軸受け台１４に摺接しながら解除釦６０が回動し、突壁１４ａが傾斜角度の小さい斜面を通過した後に突起６７が突壁１４ａに係合して解除釦６０が保持されることになる（図２１（ｂ）及び図２２（ｂ）参照）。この保持状態では解除釦６０の押動部６３が鎖錠部４４ａを押し動かして鎖錠片４４を撓ませているため、鎖錠部４４ａと接触片４３との間の隙間が広くなっており、電線の挿入及び引き抜きが容易に行えるものである。
【００４７】
【発明の効果】
請求項１の発明は、配線器具の器体に貫設した電線挿入孔を通して器体に導入される電線に接触する端子板と、ばね力を利用して該端子板との間で前記電線を狭持するとともに鎖錠部が該電線に食い込んで抜け止めする接続手段と、該接続手段による抜け止め状態を解除する解除手段とを備え、該解除手段は、前記器体の表面に露出して手動操作される操作部と、器体内に枢支されて該操作部を回動自在とする軸部と、該軸部を支点に前記操作部が手動操作によって回動したときにばね力に抗して前記接続手段の電線に食い込んだ前記鎖錠部を該電線から引き離す向きに押し動かす押動部とを具備することを特徴とし、器体を持った一方の手で操作部を操作すれば、電線に食い込んでいる鎖錠部が押動部によって押し動かされて抜け止め状態が解除され、他方の手で電線挿入孔から電線を引き抜くことができ、従来に比較して電線の取り外し作業が容易に行える。しかも、解除手段はてこの原理を使って押動部により鎖錠部を押し動かしているため、例えば、器体に対して解除手段を平行移動させることで鎖錠部を押し動かす構造に比べて操作部にかかる荷重が低減できる。
【００４８】
請求項２の発明は、請求項１の発明において、前記解除手段は、前記軸部に対して該軸部の軸方向にずらした位置に前記押動部が配置されたことを特徴とし、軸部と押動部とを離すことで軸部から端子板までの距離を大きくとることができ、軸部の回動によって生じた削れかすが端子板に付着して接触不良を起こすといった不具合の発生が防止できる。
【００４９】
請求項３の発明は、請求項１の発明において、前記解除手段は、前記操作部が回動する際に前記軸部を支持する支持部を具備し、該支持部と前記軸部が前記操作部の回動方向と平行な同一平面上に配置されたことを特徴とし、軸部を支点とする操作部の回動を安定させることができる。
【００５０】
請求項４の発明は、請求項３の発明において、前記支持部と前記軸部とが同心円上に配置されたことを特徴とし、軸部を安定して支持することができる。
【００５１】
請求項５の発明は、請求項１の発明において、前記器体に複数の接続手段並びに複数の解除手段が設けられ、これら複数の解除手段が合成樹脂成型品により一体に形成されたことを特徴とし、部品点数の削減によるコストダウンが図れる。
【００５２】
請求項６の発明は、請求項１の発明において、前記解除手段は、前記鎖錠部が押し動かされる方向に沿った同一平面上において前記押動部と前記操作部を連結する連結部を具備することを特徴とし、鎖錠部を押し動かすときに押動部にかかる荷重を連結部で受けることにより解除手段の強度が向上できる。
【００５３】
請求項７の発明は、請求項１の発明において、前記軸部が摺動自在に載置される軸受け台が前記器体に設けられ、該軸受け台を逃がす逃がし部が前記解除手段の軸部近傍に設けられたことを特徴とし、逃がし部を設けることで軸部と軸受け台とが摺接する範囲を拡げることができて軸部の回動が安定する。
【００５４】
請求項８の発明は、請求項１の発明において、前記解除手段は、前記操作部が回動する際に前記軸部を支持する支持部を具備し、前記軸部が摺動自在に載置される軸受け台と、先端に前記支持部が摺接する曲面を有した固定リブとが前記器体に設けられたことを特徴とし、器体に設けられた固定リブに支持部を摺接させることで軸部を軸受け台に確実に枢支させることができる。
【００５５】
請求項９の発明は、請求項１の発明において、前記鎖錠部が電線に食い込まない位置で前記解除手段を保持する保持手段を備えたことを特徴とし、電線を端子板に接続した後に鎖錠部を食い込ませて抜け止めすることができるから、電線を電線挿入孔に挿入する際の挿入力を弱くして接続作業が容易に行える。
【００５６】
請求項１０の発明は、請求項９の発明において、前記保持手段は、前記解除手段若しくは前記器体に設けられる突起と、前記解除手段若しくは前記器体に設けられて該突起に係合する係合部とからなることを特徴とし、保持手段の構造が簡素化できる。
【図面の簡単な説明】
【図１】実施形態１のコンセントを示す分解斜視図である。
【図２】同上を示し、（ａ）は正面図、（ｂ）は右側面図、（ｃ）は下面図、（ｄ）は背面図である。
【図３】同上の斜視図である。
【図４】同上におけるボディを示し、（ａ）は正面図、（ｂ）は下面図、（ｃ）は（ａ）のＡ−Ａ線断面矢視図、（ｄ）は背面図、（ｅ）は右側面図である。
【図５】同上におけるカバーを示し、（ａ）は正面図、（ｂ）は下面図、（ｃ）は右側面図、（ｄ）は背面図である。
【図６】同上における組立部材を示し、（ａ）は正面図、（ｂ）は上面図、（ｃ）は下面図、（ｄ）右側面図である。
【図７】同上における刃受を示し、（ａ）は正面図、（ｂ）は下面図、（ｃ）は右側面図である。
【図８】同上における端子板を示し、（ａ）は正面図、（ｂ）は下面図、（ｃ）は右側面図である。
【図９】同上における解除釦を示し、（ａ）は正面図、（ｂ）は（ａ）のＡ−Ａ線断面矢視図、（ｃ）は下面図、（ｄ）は右側面図である。
【図１０】同上の端子板に電線が接続された状態を示す要部断面図である。
【図１１】同上の端子板と解除釦との配置関係を示す斜視図である。
【図１２】同上における解除釦の斜視図である。
【図１３】同上における解除釦を後方から見た斜視図である。
【図１４】（ａ）（ｂ）は同上の解除釦の動作説明図である。
【図１５】（ａ）は同上における要部を示す断面図、（ｂ）は同上の比較例の要部を示す断面図である。
【図１６】同上における解除釦の他の形態を示す斜視図である。
【図１７】同上の他の形態の解除釦をボディに収納した状態を示す一部省略した斜視図である。
【図１８】（ａ）（ｂ）は実施形態２における解除釦の動作説明図である。
【図１９】同上における解除釦及びボディの要部を示す平面図である。
【図２０】実施形態３における解除釦の斜視図である。
【図２１】（ａ）（ｂ）は同上における解除釦の動作説明図である。
【図２２】（ａ）（ｂ）は同上における解除釦の動作説明図である。
【図２３】従来例の要部を示す断面図である。
【図２４】同上における電線を引き抜く場合の操作を説明する説明図である。
【符号の説明】
１  器体
１０  ボディ
２０  カバー
４０  端子部
４１  端子板
４４  鎖錠部
６０  解除釦
６１  操作部
６２ａ  軸部
６３  押動部
【図１】
2004319394.tif 000003
【図２】
2004319394.tif 000004
【図３】
2004319394.tif 000005
【図４】
2004319394.tif 000006
【図５】
2004319394.tif 000007
【図６】
2004319394.tif 000008
【図７】
2004319394.tif 000009
【図８】
2004319394.tif 000010
【図９】
2004319394.tif 000011
【図１０】
2004319394.tif 000012
【図１１】
2004319394.tif 000013
【図１２】
2004319394.tif 000014
【図１３】
2004319394.tif 000015
【図１４】
2004319394.tif 000016
【図１５】
2004319394.tif 000017
【図１６】
2004319394.tif 000018
【図１７】
2004319394.tif 000019
【図１８】
2004319394.tif 000020
【図１９】
2004319394.tif 000021
【図２０】
2004319394.tif 000022
【図２１】
2004319394.tif 000023
【図２２】
2004319394.tif 000024
【図２３】
2004319394.tif 000025
【図２４】
2004319394.tif 000026